(57)【要約】【課題】トラップ部を動作させて排水を行う際にも、外部排水管側から臭気が上がってくることを抑えることのできる便器装置を提供する。【解決手段】ボウル部２から延設される排水管部４に、筒状のトラップ部１を連通接続させ、トラップ部１を動作させることで封水と排水とを切り替える便器装置において、排水管部４の管路上面に凹設される収納溝１２と、この収納溝１２内に上下動自在に配されるフロート弁体１１とで、排水管部４の弁構造１０を形成する。【選択図】図１
2012172389.tif 000002
【特許請求の範囲】
【請求項１】
ボウル部から延設される排水管部に、筒状のトラップ部を連通接続させ、前記トラップ部を動作させることで封水と排水とを切り替える便器装置において、前記排水管部の管路上面に凹設される収納溝と、この収納溝内に上下動自在に配されるフロート弁体とで、前記排水管部の弁構造を形成したことを特徴とする便器装置。
【発明の詳細な説明】
【技術分野】
【０００１】
本発明は、トラップ部の姿勢変更により封水と排水を切り替えることのできる便器装置に関する。
【背景技術】
【０００２】
節水化を図ることのできる便器装置として、いわゆるターントラップ式の便器装置がある（特許文献１等参照）。
【０００３】
この便器装置では、筒状のトラップ部を回動させ、トラップ部の排水口が上方をむく姿勢で封水を行い、この排水口が下方をむく姿勢で排水を行う。以下においては、前記のように排水口を上方にむけたトラップ部の姿勢を「封水姿勢」といい（図１参照）、排水口を下方にむけたトラップ部の姿勢を「排水姿勢」という（図２参照）。
【０００４】
通常時は、トラップ部をこの封水姿勢に保持しておく。このとき、ボウル部からトラップ部に至る部分に水が溜め置かれ、これにより外部排水管との間での封水がなされる。そして、排水時には、モータの動力でトラップ部を回動させて排水姿勢に変更させ、トラップ部の排水口を通じて、ボウル部内の溜水や汚物を一気に外部排水管側に排出させる。
【０００５】
溜水や汚物の排出を終了すれば、トラップ部を再び封水姿勢に戻し、ボウル部内に水を供給する。供給された水により、再び封水がなされる。
【先行技術文献】
【特許文献】
【０００６】
【特許文献１】特開平９−２５６４４７号公報
【発明の概要】
【発明が解決しようとする課題】
【０００７】
前記した便器装置においては、ボウル部からトラップ部に供給する水の量を減らした場合、トラップ部を排水姿勢に変更して或る程度まで水を排出した時点から、トラップ部を封水姿勢に戻して或る程度まで水を供給した時点までの間に、一時的に封水が破られることになる。そして、このようにして破封状態となっている間に、外部排水管側からの臭気がボウル部側に上がりやすくなる。
【０００８】
本発明は前記問題点に鑑みて発明したものであって、トラップ部を動作させて排水を行う際にボウル部からトラップ部に供給する水の量を減らした場合でも、外部排水管側から臭気が上がってくることを抑えることのできる便器装置を提供することを、課題とする。
【課題を解決するための手段】
【０００９】
前記課題を解決するために本発明を、ボウル部から延設される排水管部に、筒状のトラップ部を連通接続させ、前記トラップ部を動作させることで封水姿勢と排水姿勢とを切り替える便器装置において、前記排水管部の管路上面に凹設される収納溝と、この収納溝内に上下動自在に配されるフロート弁体とで、前記排水管部の弁構造を形成したものとする。
【発明の効果】
【００１０】
本発明は、トラップ部を動作させて排水を行う際にも、外部排水管側から臭気が上がってくることを抑えることができるという効果を奏する。
【図面の簡単な説明】
【００１１】
【図１】本発明の一実施形態の便器装置の概略的な側断面図であり、トラップ部が封水姿勢にあるときを示している。
【図２】同上の便器装置の概略的な側断面図であり、トラップ部が排水姿勢にあるときを示している。
【発明を実施するための形態】
【００１２】
本発明を、添付図面に示す実施形態に基づいて説明する。
【００１３】
図１、図２には、本発明の実施形態の一例の便器装置を示している。図１は、トラップ部１を封水姿勢に保持した状態であり、図２は、トラップ部１を排水姿勢に保持した状態である。
【００１４】
本例の便器装置は、底部に排水口３を有するボウル部２と、この排水口３から水平方向に延長される排水管部４と、排水管部４の下流端部に装着される変形自在なトラップ部１と、トラップ部１を収容するケース部５とを具備する。図示はしないが、ボウル部２内に水を供給する給水手段としては、水道直結でボウル部２内に給水を行う方式のものを用いている。
【００１５】
トラップ部１は、蛇腹形状を有する筒状の部材から成り、トラップ部１の上流端開口に排水管部４の下流端部を嵌め込んで固定することにより、排水管部４を介してトラップ部１とボウル部２を連通接続させている。トラップ部１の下流端部には、排水口１ａを開口させている。
【００１６】
トラップ部１は、ケース部５の内部空間Ｓに配される。ケース部５はその底部にケース排水口６を有し、このケース排水口６が外部排水管（図示略）に連通接続される。つまり、トラップ部１を姿勢変更自在に収容するケース部５の内部空間Ｓは、ケース排水口６を介して外部排水管にまで連通接続される。
【００１７】
トラップ部１の姿勢変更を行うための姿勢変更手段は、ケース部５の側方に配置されるモータ(図示略)と、このモータからの回転動力によって回動されるアーム（図示略）とから成る。アームの先端部は、トラップ部１の下流端部に連結され、アームの回動に伴ってトラップ部１の姿勢が変更される。
【００１８】
トラップ部１の上流端部は、上流端開口が水平方向をむく状態で、前記のように排水管部４に嵌合固定される。一方、トラップ部１の下流端部は、排水口１ａが上方をむく状態と下方をむく状態との間で移動するように、アームの回動軸まわりに回動される。なお、ここでの上方とは、真上に限らず斜め上方を含む意味であり、同様に、ここでの下方とは真下に限らず斜め下方を含む意味である。
【００１９】
トラップ部１の封水姿勢は、図１のように下流端部を上流端部よりも上方にまで持ち上げ、側面視円弧状に屈曲させた姿勢である。トラップ部１の排水姿勢は、図２のように下流端部を上流端部よりも下方にまで降ろし、側面視円弧状に屈曲させた姿勢である。
【００２０】
そして、本例の便器装置においては、トラップ部１とボウル部２の間に位置する排水管部４に、この排水管部４において封水が破られることを抑えるための弁構造１０を設けている。この弁構造１０は、水に対して浮力を生じるフロート弁体１１を用いたものである。このフロート弁体１１の浮力を利用して、排水管部４が満水状態にあるときはフロート弁体１１を上方に退避させ、満水状態でなくなればフロート弁体１１を降下させる。
【００２１】
具体的には、排水管部４の管路上面に収納溝１２を凹設し、この収納溝１２内に、板状のフロート弁体１１を上下スライド自在に配することで、排水管部４の弁構造１０を形成している。
【００２２】
フロート弁体１１は、最も下方にまでスライドしたときに排水管部４の管路下面に当接し、排水管部４を全て封止するように設けている。なお、フロート弁体１１が排水管部４の全てでなく一部だけ封止する寸法形状であっても、臭気が上がることを或る程度抑えることができる。
【００２３】
収納溝１２は、フロート弁体１１が最も上方にまでスライドしたとき（即ち、フロート弁体１１が最も収納溝１２内に没入したとき）でも、フロート弁体１１のうち下端側の一部分は排水管部４内に突出するように設けている。なお、フロート弁体１１が最も上方にまでスライドしたときには収納溝１２内に完全に没入するように設けてもよい。
【００２４】
本例の便器装置は、トラップ部１の姿勢変更や給水を制御する制御部（図示略）を備えている。この制御部は、トラップ部１を通常時は封水姿勢に保持しておき、このトラップ部１に至るまで水を充填させることで封水を行う。
【００２５】
このとき、フロート弁体１１は、上下スライド可能な範囲のうち最も上方の位置にあり、その大部分が収納溝１２内に収容される。
【００２６】
そして、排水時には、制御部はモータによりアームを回動させ、トラップ部１を排水姿勢へと姿勢変更させる。これにより、ボウル部２内の溜水や汚物は、排水口１ａを通じてケース部５の内部空間Ｓに排出され、さらに、ケース排水口６を通じて外部排水管にまで排出される。
【００２７】
このとき、排水管部４内から水がなくなり、フロート弁体１１には浮力が生じなくなる。そのため、フロート弁体１１は上下スライド可能な範囲のうち最も下方の位置にまで降下し、排水管部４を封止する。
【００２８】
次いで、制御部は、モータによりアームを逆方向に回動させ、排水姿勢にあるトラップ部１を再び封水姿勢に戻し、ボウル部２内に水道からの給水を行う。ボウル部２内に水を供給すると、このボウル部２に連通する排水管部４内の水面が上昇してゆき、この水面上昇に伴ってフロート弁体１１が上方にスライド移動し、収納溝１２内に収容されていく。排水管部４が満水となれば、前記したようにフロート弁１１は最も上方の位置にまで浮力によって押し上げられる。
【００２９】
以上説明したように、本例の便器装置は、ボウル部２から延設される排水管部４に、筒状のトラップ部１を連通接続させ、トラップ部１を動作させることで封水と排水とを切り替える便器装置である。そして、排水管部４の管路上面に凹設される収納溝１２と、この収納溝１２内に上下動自在に配されるフロート弁体１１とで、排水管部４の弁構造１０を形成している。
【００３０】
これにより、本例の便器装置によれば、排水管部４が満水状態にあるときはフロート弁体１１を収納溝１２内に退避させておき、排水管部４が満水状態でなくなったときには収納溝１２からフロート弁体１１を降下させることができる。これにより、排水管部４を通じて臭気が上がることが抑えられる。
【００３１】
特に、本例の便器装置のように、水道直結でボウル部２への給水を行う方式のものにおいては、ボウル部２からトラップ部１に供給する水の量を減らした場合、排水の際に排水管部４が満水状態でなくなる時間が比較的長くなる。これに対して、前記の弁構造１０を備えることで、その間に臭気が上がることを抑えることができる。
【００３２】
以上、本発明を添付図面に示す実施形態に基づいて説明したが、本発明は前記実施形態に限定されるものではなく、本発明の意図する範囲内であれば、適宜の設計変更を行うことが可能である。
【符号の説明】
【００３３】
１  トラップ部
２  ボウル部
４  排水管部
１０  弁構造
１１  フロート弁体
１２  収納溝
【図１】
2012172389.tif 000003
【図２】
2012172389.tif 000004